(57)【要約】【課題】本発明は、肉調時にダイを左右に移動させる左右シリンダの各ストロークプロファイルを表示する一対のグラフを並設し、各グラフの内側の表示をギャップ閉（押し）とし、各ストロークプロファイルをより感覚的にオペレータが捉えやすくすることを目的とする。【解決手段】本発明による中空成形機のラジアル肉厚調整における設定ストロークプロファイル表示方法及び装置は、各シリンダ設定用グラフ(1,2)のうちの一方のみに入力する値を制御部(19)を介して反転させて入力し、各シリンダ設定用グラフ(1,2)を並設した場合、各グラフ(1,2)の内側がギャップ閉方向となるようにした方法と構成である。【選択図】図２
2009262468.tif 000002
【特許請求の範囲】
【請求項１】
クロスヘッド(10)の下部のコア(13)の外側に配設された輪状のダイ(14)を、直径方向に沿って対向配置された左シリンダ(16)と右シリンダ(17)の押し／引きによって左右移動させ、前記コア(13)とダイ(14)間のギャップ隙間(15)から吐出されるパリソン(18)のラジアル肉調を行う際に、前記左シリンダ(16)と右シリンダ(17)の設定ストロークのストロークプロファイル(21,22)を左シリンダ設定用グラフ(1)及び右シリンダ設定用グラフ(2)でグラフ表示するようにした中空成形機のラジアル肉厚調整における設定ストロークプロファイル表示方法において、
前記各シリンダ設定用グラフ(1,2)のうちの一方のみに入力する値を制御部(19)を介して反転させて入力し、前記各シリンダ設定用グラフ(1,2)を並設した場合、前記各シリンダ設定用グラフ(1,2)の各内側(1A,2A)がギャップ閉方向で、各外側(1B,2B)がギャップ開方向となるように表示することを特徴とする中空成形機のラジアル肉厚調整における設定ストロークプロファイル表示方法。
【請求項２】
クロスヘッド(10)の下部のコア(13)の外側に配設された輪状のダイ(14)を、直径方向に沿って対向配置された左シリンダ(16)と右シリンダ(17)の押し／引きによって左右移動させ、前記コア(13)とダイ(14)間のギャップ隙間(15)から吐出されるパリソン(18)のラジアル肉調を行う際に、前記左シリンダ(16)と右シリンダ(17)の設定ストロークのストロークプロファイル(21,22)を左シリンダ設定用グラフ(1)及び右シリンダ設定用グラフ(2)でグラフ表示するようにした中空成形機のラジアル肉厚調整における設定ストロークプロファイル表示装置において、
前記各シリンダ設定用グラフ(1,2)のうちの一方のみに入力する値を制御部(19)を介して反転させて入力し、前記各シリンダ設定用グラフ(1,2)を並設した場合、前記各シリンダ設定用グラフ(1,2)の各内側(1A,2A)がギャップ閉方向で、各外側(1B,2B)がギャップ開方向となるように表示する構成としたことを特徴とする中空成形機のラジアル肉厚調整における設定ストロークプロファイル表示装置。
【発明の詳細な説明】
【技術分野】
【０００１】
本発明は、中空成形機のラジアル肉厚調整における設定ストロークプロファイル表示方法及び装置に関し、特に、肉調時にダイを左右に移動させる左シリンダと右シリンダの各ストロークプロファイルを表示する一対のグラフを並設し、各グラフの内側の表示をギャップ閉（押し）とし、ラジアル肉調の各ストロークプロファイルをより感覚的にオペレータが捉えやすくするための新規な改良に関する。
【背景技術】
【０００２】
従来、用いられていたこの種の中空成形機のラジアル肉厚調整における設定ストロークプロファイル表示方法及び装置としては、例えば、特許文献１のパリソン肉厚調整装置に用いられていた左、右シリンダ設定用グラフにおいては、図４に示されるように、左、右シリンダ設定用グラフ１，２の内側１Ａ，２Ａの表示は、左シリンダ設定用グラフ１では＋側（プッシュ）であり、右シリンダ設定用グラフ２では−側（プル）であり、前記グラフ１，２に表示される第１、第２ストロークプロファイル２１，２２の設定ストロークの押し、引きの関係が互いに異なる状態で表示されている。
【０００３】
【特許文献１】特開２００６−３０５８８１号公報
【発明の開示】
【発明が解決しようとする課題】
【０００４】
従来、用いられていた中空成形機のラジアル肉厚調整における設定ストロークプロファイル表示方法及び装置は、以上のように構成されていたため、次のような課題が存在していた。
すなわち、前述の図４のラジアル肉調の制御プロファイルの設定は、縦軸に時間軸３、横軸に各シリンダの設定ストローク４，５（すなわち、コアとダイ間のギャップ隙間の開度）としたグラフを表示して用いられ、オペレータはこの各グラフを参照しつつ適切なストロークプロファイル２１，２２を描くことによる操作によって行われていたが、各グラフ１，２共、ギャップ開度は右方向が＋、左方向が−と云うグラフ表示であるため、各グラフ１，２では各内側１Ａ，２Ａの表示が＋側（押し）と−側（引き）及び外側１Ｂ，２Ｂは引きと押しとになり、オペレータがストロークプロファイルを設定する場合、又は、読み取る場合に、数値を見なければ、ストロークプロファイル２１，２２の形状を見ただけでは、容易に認識をすることが困難であった。そのため、熟練したオペレータでないと、肉調操作が困難であった。
【課題を解決するための手段】
【０００５】
本発明による中空成形機のラジアル肉厚調整における設定ストロークプロファイル表示方法は、クロスヘッドの下部のコアの外側に配設された輪状のダイを、直径方向に沿って対向配置された左シリンダと右シリンダの押し／引きによって左右移動させ、前記コアとダイ間のギャップ隙間から吐出されるパリソンのラジアル肉調を行う際に、前記左シリンダと右シリンダの設定ストロークのストロークプロファイルを左シリンダ設定用グラフ及び右シリンダ設定用グラフでグラフ表示するようにした中空成形機のラジアル肉厚調整における設定ストロークプロファイル表示方法において、前記各シリンダ設定用グラフのうちの一方のみに入力する値を制御部を介して反転させて入力し、前記各シリンダ設定用グラフを並設した場合、前記各シリンダ設定用グラフの各内側がギャップ閉方向で、各外側がギャップ開方向となるように表示する方法であり、また、本発明による中空成形機のラジアル肉厚調整における設定ストロークプロファイル表示装置に、クロスヘッドの下部のコアの外側に配設された輪状のダイを、直径方向に沿って対向配置された左シリンダと右シリンダの押し／引きによって左右移動させ、前記コアとダイ間のギャップ隙間から吐出されるパリソンのラジアル肉調を行う際に、前記左シリンダと右シリンダの設定ストロークのストロークプロファイルを左シリンダ設定用グラフ及び右シリンダ設定用グラフでグラフ表示するようにした中空成形機のラジアル肉厚調整における設定ストロークプロファイル表示装置において、前記各シリンダ設定用グラフのうちの一方のみに入力する値を制御部を介して反転させて入力し、前記各シリンダ設定用グラフを並設した場合、前記各シリンダ設定用グラフの各内側がギャップ閉方向で、各外側がギャップ開方向となるように表示する構成である。
【発明の効果】
【０００６】
本発明による中空成形機のラジアル肉厚調整における設定ストロークプロファイル表示方法及び装置は、以上のように構成されているため、次のような効果を得ることができる。
すなわち、クロスヘッドの下部のコアの外側に配設された輪状のダイを、直径方向に沿って対向配置された左シリンダと右シリンダの押し／引きによって左右移動させ、前記コアとダイ間のギャップ隙間から吐出されるパリソンのラジアル肉調を行う際に、前記左シリンダと右シリンダの設定ストロークのストロークプロファイルを左シリンダ設定用グラフ及び右シリンダ設定用グラフでグラフ表示するようにした中空成形機のラジアル肉厚調整における設定ストロークプロファイル表示方法及び装置において、
前記各シリンダ設定用グラフのうちの一方のみに入力する値を制御部を介して反転させて入力し、前記各シリンダ設定用グラフを並設した場合、前記各シリンダ設定用グラフの各内側がギャップ閉方向で、各外側がギャップ開方向となるように表示する各グラフの内側の表示は同じギャップ閉（押し）となり、オペレータは画面表示と実物とのレイアウトが感覚的に相関し易いものとなると共に、オペレータの誤操作をなくし、操作性を向上させることができる。
【発明を実施するための最良の形態】
【０００７】
本発明は、肉調時にダイを左右に移動させる左シリンダと右シリンダの各ストロークプロファイルを表示する一対のグラフを並設し、各グラフの内側の表示をギャップ閉（押し）とし、ラジアル肉調の各ストロークプロファイルをより感覚的にオペレータが捉えやすくするようにした中空成形機のラジアル肉厚調整における設定ストロークプロファイル表示方法及び装置を提供することを目的とする。
【実施例】
【０００８】
以下、図面と共に本発明による中空成形機のラジアル肉厚調整における設定ストロークプロファイル表示方法及び装置の好適な実施の形態について説明する。
尚、従来例と同一又は同等部分には、同一符号を付して説明する。
図１において符号１０で示されるものは中空成形機１１のクロスヘッドであり、このクロスヘッド１０の下部には、駆動装置１２によって上下自在に設けられたコア１３が設けられている。
【０００９】
前記コア１３の外側には、輪状をなすダイ１４が水平方向に沿って移動できるように構成され、このダイ１４とコア１３との間には、樹脂流路を形成するためのギャップ隙間１５が形成され、このダイ１４は、互いにダイ１４の直径方向に沿って対向配置された左シリンダ１６及び右シリンダ１７によって水平方向に沿う左右方向に移動できるように構成されている。
【００１０】
前記ダイ１４の左右移動により前記ギャップ隙間１５のラジアル方向の隙間が可変となり、このギャップ隙間１５から吐出されて垂下するパリソン１８のラジアル肉厚を変えることができるように構成されている。
尚、前述の駆動装置１２の作動、各シリンダ１６，１７の設定ストローク及び各グラフ１，２の設定及び表示並びに制御等、前記中空成形機１１における全ての制御は、図１の制御部１９によって行われるように構成されている。
【００１１】
前記各シリンダ１６，１７の動作を制御部１９により制御してギャップ隙間１５を可変的に制御するための表示部２０の左右シリンダ設定用グラフ１，２を用いてラジアル肉厚調整における設定ストロークプロファイルを表示部２０で表示する場合について説明する。
【００１２】
まず、ラジアル肉厚調整（以下、肉調と云う）は、左シリンダ１６及び右シリンダ１７によってダイ１４を押し引きすることにより、ギャップ隙間１５を調節し、それによってパリソン１８のラジアル肉厚を制御できる。
【００１３】
前述の場合、前記左シリンダ１６の動作設定は、左シリンダ設定用グラフ１に予め描かれた第１ストロークプロファイル２１に基づいて動作し、前記右シリンダ１７の動作設定は、右シリンダ設定用グラフ２にて描かれた第２ストロークプロファイル２２に基づいて動作する。
【００１４】
前記各グラフ１，２における各時間軸３，３は縦方向に沿って示され、水平方向に沿う横方向においては、左シリンダの設定ストローク４及び右シリンダの設定ストローク５が示されている。
前述の関係から、ある時間に対応する各シリンダ１６，１７のストロークが決定し、前記各ストロークプロファイル２１，２２に倣うように各シリンダ１６，１７の動作を制御する。
【００１５】
前述の各グラフ１，２において、従来の各グラフ１，２（図４で示される）では、各シリンダ１６，１７の増加方向（押しすなわちギャップ閉）を右側（すなわち、内側１Ａと外側２Ｂ）に設定しているが、本発明においては、各グラフ１，２の右側と左側、すなわち、互いに内側１Ａ，２Ａ位置とするために、右シリンダ設定用グラフ２のみ設定ストローク５の方向性を従来と逆に設定している。
【００１６】
すなわち、図２に示されるように、前記左シリンダの設定ストローク４の右方向をギャップ閉、その左方向をギャップ開とし、前記右シリンダの設定ストローク５の右方向をギャップ開、その左方向をギャップ閉とし、各グラフ１，２は、図２及び図３のように、２つ並べて並設されて表示部２０にて表示されることによって、現物のラジアル肉調の動きと左シリンダ設定用グラフ１の動きを統一させている。
【００１７】
また、前記右シリンダ１７の右シリンダの設定ストローク５は、ストロークの増加方向（つまり、ギャップ閉方向）を左方向とし、各グラフ１，２が前述のように並設された時に、各グラフ１，２の内側１Ａ，２Ａの位置がギャップ閉方向で、その外側１Ｂ，２Ｂ位置がギャップ開方向となるように設定されている。
前記右シリンダ設定用グラフ２の向きを前述のように左シリンダ設定用グラフ１に対して逆とする手段としては、右シリンダ設定用グラフ２に入力する第２ストロークプロファイル２２の値を、前記制御部１９にて正負を逆として反転させ、右シリンダ設定用グラフ２の動作が逆に動くように構成されている。
【００１８】
従って、前述の表示部２０の各グラフ１，２に設定された前述の各ストロークプロファイル２１，２２を用いることにより、各グラフ１，２の各内側１Ａ，２Ａ位置でギャップ閉となり、各外側１Ｂ，２Ｂ位置がギャップ開となり、オペレータは、従来のように数値のみで管理するのではなく、画面表示と実物とのレイアウトを感覚的に相関し易いものとすることができる。
【図面の簡単な説明】
【００１９】
【図１】本発明による中空成形機のラジアル肉厚調整における設定ストロークプロファイル表示方法及び装置に用いる中空成形機の要部を示す構成図である。
【図２】本発明における表示部を示す構成図である。
【図３】本発明における表示部の実際の表示状態を示す構成図である。
【図４】従来の表示部の実際の表示状態を示す構成図である。
【符号の説明】
【００２０】
１    左シリンダ設定用グラフ
１Ａ，２Ａ    内側
２    右シリンダ設定用グラフ
１Ｂ，２Ｂ    外側
３    時間軸
４    左シリンダの設定ストローク
５    右シリンダの設定ストローク
１０    クロスヘッド
１１    中空成形機
１２    駆動装置
１３    コア
１４    ダイ
１５    ギャップ隙間
１６    左シリンダ
１７    右シリンダ
１８    パリソン
２０    表示部
２１    第１ストロークプロファイル
２２    第２ストロークプロファイル
【図１】
2009262468.tif 000003
【図２】
2009262468.tif 000004
【図３】
2009262468.tif 000005
【図４】
2009262468.tif 000006